【手続補正書】
【提出日】平成30年10月2日(2018.10.2)
【手続補正１】
【補正対象書類名】特許請求の範囲
【補正対象項目名】全文
【補正方法】変更
【補正の内容】
【特許請求の範囲】
【請求項１】
クロマトグラフィー分離のための液体溶液から揮発性成分を除去する方法であって、
前記揮発性成分を含む前記液体溶液を第１のチャンバーを通して流すステップと、
前記揮発性成分を、第１のイオン交換バリアを横断して前記第１のチャンバーから第２のチャンバーまで移動させるステップであって、前記第１のイオン交換バリアは、前記第１のチャンバーと前記第２のチャンバーとの間に少なくとも部分的に配置され、前記第１のイオン交換バリアは第１の電荷を有し、前記第１の電荷と反対の電荷を有するイオンが流れることを可能にし、かつ前記液体溶液のバルク流が流れることを可能にせず、前記第２のチャンバーは、前記第１の電荷と反対の極性である第２の電荷を有するイオン交換パッキングを含む、ステップと、
前記第２のチャンバー中で前記揮発性成分を前記イオン交換パッキングと反応させて荷電成分を生成するステップであって、前記荷電成分は、前記第１の電荷と同じ極性である第３の電荷を有し、ヒドロニウムまたは水酸化物を電解的に生成することによって前記イオン交換パッキングを再生し、前記ヒドロニウムまたは前記水酸化物は、前記イオン交換パッキングと電気的に連絡する、ステップと、
を含む、方法。
【請求項２】
前記イオン交換パッキングが前記第１のイオン交換バリアと物理的に接触する、請求項１に記載の方法。
【請求項３】
電解的に生成される前記ヒドロニウムがアノードで形成され、電解的に生成される前記水酸化物がカソードで形成され、
前記揮発性成分が、二酸化炭素、炭酸、およびそれらの組合せからなる群から選択される弱くイオン化した化学種を含み、前記液体溶液が検体を含み、前記検体がアニオンを含み、前記第１のイオン交換バリアの前記第１の電荷が負である、請求項１に記載の方法。
【請求項４】
電解的に生成される前記水酸化物を前記第２のチャンバーを通して移動させて、前記イオン交換パッキングを再生し、前記第２のチャンバーから前記負に帯電したイオンを除去するステップをさらに含む、請求項３に記載の方法。
【請求項５】
前記液体溶液を前記第１のチャンバーを通して流す前記ステップの前に、正に帯電したイオンを交換するサプレッサを用いて前記液体溶液のサプレッションを行うステップをさらに含み、前記液体溶液は検体を含有し、前記検体は前記第１のイオン交換バリアと同じ電荷を有する、請求項３に記載の方法。
【請求項６】
前記液体溶液を前記第１のチャンバーから検出器まで流すステップと、
検体濃度に比例する信号を測定するステップと、
前記液体溶液を前記検出器から前記第２のチャンバーまで流すステップと、
前記液体溶液を、前記イオン交換パッキングを通して、前記第２のチャンバーを出てカソードチャンバーまで流し、次にアノードチャンバーまで流すステップと、
をさらに含む、請求項４に記載の方法。
【請求項７】
前記揮発性成分がアンモニアを含み、前記第１のイオン交換バリアの前記第１の電荷が正である、請求項１に記載の方法。
【請求項８】
前記第１のイオン交換バリアがイオン交換毛管を含む、請求項１に記載の方法。
【請求項９】
前記第１のイオン交換バリアがほぼ平坦な膜を含む、請求項１に記載の方法。
【請求項１０】
前記液体溶液が、検体および溶離液をさらに含み、
前記方法が、前記第１のチャンバー中で前記検体を塩の形態に変換するステップ、をさらに含む、請求項１に記載の方法。
【請求項１１】
クロマトグラフィー分離のための液体溶液から揮発性成分を除去する装置であって、
Ｉ）前記揮発性成分を含む前記液体溶液を受け取るように構成された入口、および前記揮発性成分の実質的な部分が除去された前記液体溶液を排出するように構成された出口を含む第１のチャンバーと、
ＩＩ）イオン交換パッキングを含む第２のチャンバーであって、第１のカソードおよび第１のアノードと電気的に連絡し、前記第１のカソードは、水酸化物を電解的に生成するように構成され、前記第１のアノードは、ヒドロニウムを電解的に生成するように構成された、前記第２のチャンバーと、
ＩＩＩ）前記第１のチャンバーと前記第２のチャンバーとの間に少なくとも部分的に配置された第１のイオン交換バリアであって、前記第１のイオン交換バリアは、第１の電荷を有し、前記揮発性成分および前記第１の電荷と反対の電荷を有するイオンが流れることを可能にし、かつ前記液体溶液のバルク流が流れることを可能にしない、前記第１のイオン交換バリアと、
を含み、
前記イオン交換パッキングは、前記第１の電荷と反対の極性である第２の電荷を有し、  前記イオン交換パッキングは、前記揮発性成分と反応して、前記第１のイオン交換バリアの前記第１の電荷と同じ極性を有する荷電成分を生成するように構成され、前記イオン交換パッキングは、前記荷電成分と結合するように更に構成されている、装置。
【請求項１２】
前記揮発性成分が、二酸化炭素、炭酸、およびそれらの組合せからなる群から選択され、前記液体溶液が検体を含み、前記検体がアニオンを含み、前記第１のイオン交換バリアの前記第１の電荷が負であり、
前記装置は、さらに、
ＩＶ）前記第１のカソードを含むカソードチャンバーであって、前記カソードチャンバーと前記第２のチャンバーとの間には第２のイオン交換バリアが少なくとも部分的に配置され、前記第２のイオン交換バリアは、前記第１の電荷と反対の極性である第３の電荷を有し、前記第２のイオン交換バリアは、前記カソードチャンバーから前記第２のチャンバーまで、前記液体溶液のバルク流が流れることを可能にせず、かつ前記第３の電荷と反対の電荷を有するイオンが流れることを可能にするように構成されている、前記カソードチャンバーと、
Ｖ）前記第１のアノードを含むアノードチャンバーであって、前記アノードチャンバーと前記第２のチャンバーとの間には第３のイオン交換バリアが少なくとも部分的に配置され、前記第３のイオン交換バリアは、前記第１の電荷と反対の極性である第４の電荷を有し、前記第３のイオン交換バリアは、前記第２のチャンバーから前記アノードチャンバーまで、前記液体溶液のバルク流が流れることを可能にせず、かつ前記第４の電荷と反対の電荷を有するイオンが流れることを可能にするように構成されている、前記アノードチャンバーと、
を含む、請求項１１に記載の装置。
【請求項１３】
前記第１のイオン交換バリアが第１のほぼ平坦な膜を含み、前記第１のアノードおよび前記第１のカソードが、前記第２のチャンバー中に少なくとも部分的に配置され、前記第１のアノードおよび前記第１のカソードのそれぞれが平坦な表面を有し、前記第１の平坦な膜の面が、前記第１のカソードおよび前記第１のアノードの平坦な表面に対してほぼ垂直であり、
前記装置は、さらに、
ＩＶ）前記イオン交換パッキングを含む第３のチャンバーであって、前記第３のチャンバー中に第２のカソードおよび第２のアノードが少なくとも部分的に配置され、前記第２のカソードは、水酸化物を電解的に生成するように構成され、前記第２のアノードは、ヒドロニウムを電解的に生成するように構成されている、前記第３のチャンバーと、
Ｖ）前記第１のチャンバーと前記第３のチャンバーとの間に少なくとも部分的に配置される第４のイオン交換バリアであって、前記第４のイオン交換バリアは、前記第１のイオン交換バリアと同じ電荷を有し、前記揮発性成分および前記第１の電荷と反対の電荷を有するイオンが流れることを可能にし、かつ前記液体溶液のバルク流が流れることを可能にしない第４のイオン交換バリアと、
を含み、
前記イオン交換パッキングは、前記第２の電荷を有し、
前記第４のイオン交換バリアが、第２のほぼ平坦な膜を含み、前記第２のアノードおよび前記第２のカソードのそれぞれは平坦な表面を有し、前記第２のほぼ平坦な膜の面は、前記第２のカソードおよび前記第２のアノードの平坦な表面に対してほぼ垂直である、請求項１１に記載の装置。
【請求項１４】
前記第１のイオン交換バリアが第１のほぼ平坦な膜を含み、前記第１のアノードおよび前記第１のカソードが前記第２のチャンバー中に少なくとも部分的に配置され、前記第１のアノードおよび前記第１のカソードのそれぞれは平坦な表面を有し、前記第１の平坦な膜の面は、前記第１のカソードおよび前記第１のアノードの平坦な表面とほぼ平行であり、
前記装置は、さらに、
ＩＶ）前記イオン交換パッキングを含む第３のチャンバーであって、前記第３のチャンバー中に第２のカソードおよび第２のアノードが少なくとも部分的に配置され、前記第２のカソードは、水酸化物を電解的に生成するように構成され、前記第２のアノードは、ヒドロニウムを電解的に生成するように構成されている、前記第３のチャンバーと、
Ｖ）前記第１のチャンバーと前記第３のチャンバーとの間に少なくとも部分的に配置された第４のイオン交換バリアであって、前記第４のイオン交換バリアは、前記第１のイオン交換バリアと同じ電荷を有し、前記揮発性成分および前記第１の電荷と反対の電荷を有するイオンが流れることを可能にし、かつ前記液体溶液のバルク流が流れることを可能にしない、前記第４のイオン交換バリアと、
を含み、
前記イオン交換パッキングは、前記第２の電荷を有し、
前記第４のイオン交換バリアが第２のほぼ平坦な膜を含み、前記第２のアノードおよび前記第２のカソードのそれぞれは平坦な表面を有し、前記第２のほぼ平坦な膜の面は、前記第２のカソードおよび前記第２のアノードの平坦な表面とほぼ平行である、請求項１１に記載の装置。
【請求項１５】
揮発性成分を含有する試料を分析するシステムであって、
揮発性成分除去装置と、少なくとも１つのクロマトグラフィーと、を含み、
前記揮発性成分除去装置は、
Ｉ）前記揮発性成分を含む液体溶液を受け取るように構成された入口、および前記揮発性成分の実質的な部分が除去された前記液体溶液を排出するように構成された出口を含む第１のチャンバーと、
ＩＩ）イオン交換パッキングを含む第２のチャンバーであって、カソードおよびアノードと電気的に連絡し、前記カソードは、水酸化物を電解的に生成するように構成され、前記アノードは、ヒドロニウムを電解的に生成するように構成された、前記第２のチャンバーと、
ＩＩＩ）前記第１のチャンバーと前記第２のチャンバーとの間に少なくとも部分的に配置された第１のイオン交換バリアであって、前記第１のイオン交換バリアは、第１の電荷を有し、前記揮発性成分および前記第１の電荷と反対の電荷を有するイオンが流れることを可能にし、かつ前記液体溶液のバルク流が流れることを可能にしない、前記第１のイオン交換バリアと、
を含み、
前記イオン交換パッキングは、前記第１の電荷と反対の極性である第２の電荷を有し、  前記揮発性成分は弱くイオン化した化学種を含み、前記イオン交換パッキングは、前記揮発性成分と反応して、前記第１のイオン交換バリアの前記第１の電荷と同じ極性を有する荷電成分を生成するように構成され、前記イオン交換パッキングは、前記荷電成分に結合するように更に構成されており、
前記少なくとも１つのクロマトグラフィー部品は、
溶離液対イオンを除去するように構成されたサプレッサであって、前記溶離液対イオンが検体イオンと反対の電荷を有し、前記サプレッサが前記揮発性成分除去装置の上流に配置される、前記サプレッサ、
前記揮発性成分除去装置の上流に配置されるポンプ、
前記揮発性成分除去装置に流体的に接続されるクロマトグラフィーカラム、
前記揮発性成分除去装置の下流に配置される検出器、および
それらの組合せからなる群から選択されている、
システム。
【手続補正２】
【補正対象書類名】明細書
【補正対象項目名】００９１
【補正方法】変更
【補正の内容】
【００９１】
本発明の好ましい実施形態を本明細書に示し説明してきたが、このような実施形態は単なる例として提供されていることは当業者には明らかであろう。本発明から逸脱することなく多数の変形形態、変更形態、および代用形態が、これより当業者によって想到されるであろう。本発明を特定の変形および説明的図面に関して説明してきたが、本発明が記載の変形形態または図に限定されるものではないことを当業者は理解されよう。さらに、上記の方法およびステップが、特定の順序で起こる特定の事象を示す場合、特定のステップの順序を修正可能であり、そのような修正が本発明の変形形態によるものであることを当業者は理解されよう。さらに、特定の複数のステップは、可能であれば並行するプロセスで同時に行うことができ、前述のように順番に行うこともできる。したがって、本発明の変形形態が存在し、それらが請求項に見られる本発明の開示または均等物の意図の範囲内となる程度において、本発明はそれらの変形形態も同様に含むことが意図される。
以下の本発明の実施態様を記載する。
（実施態様１）クロマトグラフィー分離のための液体溶液から揮発性成分を除去する方法であって、
前記揮発性成分を含む前記液体溶液を第１のチャンバーを通して流すステップと、
前記揮発性成分を、第１のイオン交換バリアを横断して前記第１のチャンバーから第２のチャンバーまで移動させるステップであって、前記第１のイオン交換バリアは、前記第１のチャンバーと前記第２のチャンバーとの間に少なくとも部分的に配置され、前記第１のイオン交換バリアは第１の電荷を有し、前記第１の電荷と反対の電荷を有するイオンが流れることを可能にし、かつ前記液体溶液のバルク流が流れることを可能にせず、前記第２のチャンバーは、前記第１の電荷と反対の極性である第２の電荷を有するイオン交換パッキングを含む、ステップと、
前記第２のチャンバー中で前記揮発性成分を前記イオン交換パッキングと反応させて荷電成分を生成するステップであって、前記荷電成分は、前記第１の電荷と同じ極性である第３の電荷を有し、ヒドロニウムまたは水酸化物を電解的に生成することによって前記イオン交換パッキングを再生し、前記ヒドロニウムまたは前記水酸化物は、前記イオン交換パッキングと電気的に連絡する、ステップと、を含む、方法。
（実施態様２）前記イオン交換パッキングが前記第１のイオン交換バリアと物理的に接触する、実施態様１に記載の方法。
（実施態様３）電解的に生成される前記ヒドロニウムがアノードで形成され、電解的に生成される前記水酸化物がカソードで形成される、実施態様１に記載の方法。
（実施態様４）前記揮発性成分が、二酸化炭素、炭酸、およびそれらの組合せからなる群から選択される弱くイオン化した化学種を含み、前記液体溶液が検体を含み、前記検体がアニオンを含み、前記第１のイオン交換バリアの前記第１の電荷が負である、実施態様３に記載の方法。
（実施態様５）前記イオン交換パッキングが水酸化物型であり、前記炭酸が前記水酸化物型と反応して、前記イオン交換パッキングに結合する負に帯電したイオンを生成する、実施態様４に記載の方法。
（実施態様６）電解的に生成される前記水酸化物を前記第２のチャンバーを通して移動させて、前記イオン交換パッキングを再生し、前記第２のチャンバーから前記負に帯電したイオンを除去するステップをさらに含む、実施態様５に記載の方法。
（実施態様７）前記負に帯電したイオンが、カーボネート、バイカーボネート、およびそれらの組合せからなる群から選択されるイオン種を含む、実施態様５に記載の方法。
（実施態様８）前記液体溶液を前記第１のチャンバーを通して流す前記ステップの前に、正に帯電したイオンを交換するサプレッサを用いて前記液体溶液のサプレッションを行うステップをさらに含み、前記液体溶液は検体を含有し、前記検体は前記第１のイオン交換バリアと同じ電荷を有する、実施態様４に記載の方法。
（実施態様９）前記液体溶液のサプレッションを行う前記ステップが、ヒドロニウムを前記液体溶液に加えるステップを含む、実施態様８に記載の方法。
（実施態様１０）前記液体溶液を前記第１のチャンバーから検出器まで流すステップと、
検体濃度に比例する信号を測定するステップと、
前記液体溶液を前記検出器から前記第２のチャンバーまで流すステップと、
前記液体溶液を、前記イオン交換パッキングを通して、前記第２のチャンバーを出てカソードチャンバーまで流し、次にアノードチャンバーまで流すステップと、
をさらに含む、実施態様６に記載の方法。
（実施態様１１）前記カソードチャンバーが前記カソードを含み、前記カソードチャンバーと前記第２のチャンバーとの間には第２のイオン交換バリアが少なくとも部分的に配置され、
前記第２のイオン交換バリアは、正電荷を有し、負に帯電したイオンが前記カソードチャンバーから前記第２のチャンバーまで流れることを可能にし、かつ前記液体溶液のバルク流が流れることを可能にせず、
前記方法が、前記水酸化物を前記第２のイオン交換バリアを通して前記第２のチャンバーまで移動させるステップ、をさらに含む、実施態様１０に記載の方法。
（実施態様１２）前記アノードチャンバーが前記アノードを含み、前記アノードチャンバーと前記第２のチャンバーとの間には第３のイオン交換バリアが少なくとも部分的に配置され、
前記第３のイオン交換バリアは、正電荷を有し、負に帯電したイオンが前記第２のチャンバーから前記アノードチャンバーまで流れることを可能にし、かつ前記液体溶液のバルク流が流れることを可能にせず、
前記方法が、前記水酸化物を前記第２のチャンバーから前記アノードチャンバーまで移動させるステップ、をさらに含む、実施態様１１に記載の方法。
（実施態様１３）前記揮発性成分がアンモニアを含み、前記第１のイオン交換バリアの前記第１の電荷が正である、実施態様１に記載の方法。
（実施態様１４）前記第１のイオン交換バリアがイオン交換毛管を含む、実施態様１に記載の方法。
（実施態様１５）前記第１のイオン交換バリアがほぼ平坦な膜を含む、実施態様１に記載の方法。
（実施態様１６）前記液体溶液が、検体および溶離液をさらに含み、
前記方法が、前記第１のチャンバー中で前記検体を塩の形態に変換するステップ、をさらに含む、実施態様１に記載の方法。
（実施態様１７）前記溶離液が水酸化ナトリウムを含む、実施態様１６に記載の方法。
（実施態様１８）クロマトグラフィー分離のための液体溶液から揮発性成分を除去する装置であって、
Ｉ）前記揮発性成分を含む前記液体溶液を受け取るように構成された入口、および前記揮発性成分の実質的な部分が除去された前記液体溶液を排出するように構成された出口を含む第１のチャンバーと、
ＩＩ）イオン交換パッキングを含む第２のチャンバーであって、第１のカソードおよび第１のアノードと電気的に連絡し、前記第１のカソードは、水酸化物を電解的に生成するように構成され、前記第１のアノードは、ヒドロニウムを電解的に生成するように構成された、前記第２のチャンバーと、
ＩＩＩ）前記第１のチャンバーと前記第２のチャンバーとの間に少なくとも部分的に配置された第１のイオン交換バリアであって、前記第１のイオン交換バリアは、第１の電荷を有し、前記揮発性成分および前記第１の電荷と反対の電荷を有するイオンが流れることを可能にし、かつ前記液体溶液のバルク流が流れることを可能にしない、前記第１のイオン交換バリアと、を含み、
前記イオン交換パッキングは、前記第１の電荷と反対の極性である第２の電荷を有し、  前記イオン交換パッキングは、前記揮発性成分と反応して、前記第１のイオン交換バリアの前記第１の電荷と同じ極性を有する荷電成分を生成するように構成され、前記イオン交換パッキングは、前記荷電成分と結合するように更に構成されている、装置。
（実施態様１９）前記イオン交換パッキングが前記第１のイオン交換バリアと物理的に接触する、実施態様１８に記載の装置。
（実施態様２０）前記揮発性成分が、二酸化炭素、炭酸、およびそれらの組合せからなる群から選択され、前記液体溶液が検体を含み、前記検体がアニオンを含み、前記第１のイオン交換バリアの前記第１の電荷が負である、実施態様１８に記載の装置。
（実施態様２１）前記イオン交換パッキングが水酸化物型である、実施態様２０に記載の装置。
（実施態様２２）前記負に帯電したイオンが、カーボネート、バイカーボネート、およびそれらの組合せからなる群から選択されるイオン種を含む、実施態様２０に記載の装置。
（実施態様２３）ＩＶ）前記第１のカソードを含むカソードチャンバーであって、前記カソードチャンバーと前記第２のチャンバーとの間には第２のイオン交換バリアが少なくとも部分的に配置され、前記第２のイオン交換バリアは、前記第１の電荷と反対の極性である第３の電荷を有し、前記第２のイオン交換バリアは、前記カソードチャンバーから前記第２のチャンバーまで、前記液体溶液のバルク流が流れることを可能にせず、かつ前記第３の電荷と反対の電荷を有するイオンが流れることを可能にするように構成されている、前記カソードチャンバーと、
Ｖ）前記第１のアノードを含むアノードチャンバーであって、前記アノードチャンバーと前記第２のチャンバーとの間には第３のイオン交換バリアが少なくとも部分的に配置され、前記第３のイオン交換バリアは、前記第１の電荷と反対の極性である第４の電荷を有し、前記第３のイオン交換バリアは、前記第２のチャンバーから前記アノードチャンバーまで、前記液体溶液のバルク流が流れることを可能にせず、かつ前記第４の電荷と反対の電荷を有するイオンが流れることを可能にするように構成されている、前記アノードチャンバーと、をさらに含む、実施態様２０に記載の装置。
（実施態様２４）前記第１のチャンバーの前記出口が検出器の入口と流体的に接続され、前記検出器の出口が前記第２のチャンバーの入口と流体的に接続され、前記第２のチャンバーの出口が前記カソードチャンバーの入口と流体的に接続され、前記カソードチャンバーの出口が前記アノードチャンバーの入口と流体的に接続され、前記アノードチャンバーの出口が廃棄チャンバーと流体的に接続されている、実施態様２３に記載の装置。
（実施態様２５）前記カソードチャンバーおよび前記アノードチャンバーが前記第２のチャンバーの互いに反対側の末端に配置されている、実施態様２３に記載の装置。
（実施態様２６）前記揮発性成分がアンモニアを含み、前記第１のイオン交換バリアの前記第１の電荷が正である、実施態様１８に記載の装置。
（実施態様２７）前記第１のイオン交換バリアがイオン交換毛管を含む、実施態様１８に記載の装置。
（実施態様２８）前記第１のイオン交換バリアが第１のほぼ平坦な膜を含み、前記第１のアノードおよび前記第１のカソードが、前記第２のチャンバー中に少なくとも部分的に配置され、前記第１のアノードおよび前記第１のカソードのそれぞれが平坦な表面を有し、前記第１の平坦な膜の面が、前記第１のカソードおよび前記第１のアノードの平坦な表面に対してほぼ垂直である、実施態様１８に記載の装置。
（実施態様２９）ＩＶ）前記イオン交換パッキングを含む第３のチャンバーであって、前記第３のチャンバー中に第２のカソードおよび第２のアノードが少なくとも部分的に配置され、前記第２のカソードは、水酸化物を電解的に生成するように構成され、前記第２のアノードは、ヒドロニウムを電解的に生成するように構成されている、前記第３のチャンバーと、
Ｖ）前記第１のチャンバーと前記第３のチャンバーとの間に少なくとも部分的に配置される第４のイオン交換バリアであって、前記第４のイオン交換バリアは、前記第１のイオン交換バリアと同じ電荷を有し、前記揮発性成分および前記第１の電荷と反対の電荷を有するイオンが流れることを可能にし、かつ前記液体溶液のバルク流が流れることを可能にしない第４のイオン交換バリアと、をさらに含み、
前記イオン交換パッキングは、前記第２の電荷を有し、
前記第４のイオン交換バリアが、第２のほぼ平坦な膜を含み、前記第２のアノードおよび前記第２のカソードのそれぞれは平坦な表面を有し、前記第２のほぼ平坦な膜の面は、前記第２のカソードおよび前記第２のアノードの平坦な表面に対してほぼ垂直である、実施態様２８に記載の装置。
（実施態様３０）前記第１のイオン交換バリアが第１のほぼ平坦な膜を含み、前記第１のアノードおよび前記第１のカソードが前記第２のチャンバー中に少なくとも部分的に配置され、前記第１のアノードおよび前記第１のカソードのそれぞれは平坦な表面を有し、前記第１の平坦な膜の面は、前記第１のカソードおよび前記第１のアノードの平坦な表面とほぼ平行である、実施態様１８に記載の装置。
（実施態様３１）ＩＶ）前記イオン交換パッキングを含む第３のチャンバーであって、前記第３のチャンバー中に第２のカソードおよび第２のアノードが少なくとも部分的に配置され、前記第２のカソードは、水酸化物を電解的に生成するように構成され、前記第２のアノードは、ヒドロニウムを電解的に生成するように構成されている、前記第３のチャンバーと、
Ｖ）前記第１のチャンバーと前記第３のチャンバーとの間に少なくとも部分的に配置された第４のイオン交換バリアであって、前記第４のイオン交換バリアは、前記第１のイオン交換バリアと同じ電荷を有し、前記揮発性成分および前記第１の電荷と反対の電荷を有するイオンが流れることを可能にし、かつ前記液体溶液のバルク流が流れることを可能にしない、前記第４のイオン交換バリアと、をさらに含み、
前記イオン交換パッキングは、前記第２の電荷を有し、
前記第４のイオン交換バリアが第２のほぼ平坦な膜を含み、前記第２のアノードおよび前記第２のカソードのそれぞれは平坦な表面を有し、前記第２のほぼ平坦な膜の面は、前記第２のカソードおよび前記第２のアノードの平坦な表面とほぼ平行である、実施態様２８に記載の装置。
（実施態様３２）前記イオン交換パッキングが、イオン交換パッキング、イオン交換スクリーン、イオン交換モノリス、およびそれらの組合せからなる群から選択される材料を含む、実施態様１８に記載の装置。
（実施態様３３）前記第２のイオン交換バリアおよび前記第３のイオン交換バリアのそれぞれが膜を含む、実施態様２３に記載の装置。
（実施態様３４）前記第１のイオン交換バリアがほぼ平坦な膜を含む、実施態様１８に記載の装置。
（実施態様３５）揮発性成分を含有する試料を分析するシステムであって、
揮発性成分除去装置と、少なくとも１つのクロマトグラフィーと、を含み、
前記揮発性成分除去装置は、
Ｉ）前記揮発性成分を含む前記液体溶液を受け取るように構成された入口、および前記揮発性成分の実質的な部分が除去された前記液体溶液を排出するように構成された出口を含む第１のチャンバーと、
ＩＩ）イオン交換パッキングを含む第２のチャンバーであって、カソードおよびアノードと電気的に連絡し、前記カソードは、水酸化物を電解的に生成するように構成され、前記アノードは、ヒドロニウムを電解的に生成するように構成された、前記第２のチャンバーと、
ＩＩＩ）前記第１のチャンバーと前記第２のチャンバーとの間に少なくとも部分的に配置された第１のイオン交換バリアであって、前記第１のイオン交換バリアは、第１の電荷を有し、前記揮発性成分および前記第１の電荷と反対の電荷を有するイオンが流れることを可能にし、かつ前記液体溶液のバルク流が流れることを可能にしない、前記第１のイオン交換バリアと、を含み、
前記イオン交換パッキングは、前記第１の電荷と反対の極性である第２の電荷を有し、  前記揮発性成分は弱くイオン化した化学種を含み、前記イオン交換パッキングは、前記揮発性成分と反応して、前記第１のイオン交換バリアの前記第１の電荷と同じ極性を有する荷電成分を生成するように構成され、前記イオン交換パッキングは、前記荷電成分に結合するように更に構成されており、
前記少なくとも１つのクロマトグラフィー部品は、
溶離液対イオンを除去するように構成されたサプレッサであって、前記溶離液対イオンが検体イオンと反対の電荷を有し、前記サプレッサが前記揮発性成分除去装置の上流に配置される、前記サプレッサ、
前記揮発性成分除去装置の上流に配置されるポンプ、
前記揮発性成分除去装置に流体的に接続されるクロマトグラフィーカラム、
前記揮発性成分除去装置の下流に配置される検出器、および
それらの組合せからなる群から選択されている、システム。